(57)【特許請求の範囲】
【請求項１】
秤量機の載荷本体に載置された周壁を持つ受け台と、前記周壁に対し間隔を存して前記受け台の上面に載置され、下面を切り欠いて形成された油抜きを持つ枠体と、該枠体の内側で前記受け台の上面に配置された複数枚のゴム板と、前記枠体と前記ゴム板との間および前記隣り合うゴム板の間に、互いに隙間を存して配置された複数の仕切りとを含み、該仕切りの高さは前記ゴム板および枠体よりも低くなっていることを特徴とするコイル秤量装置。
【請求項２】
前記ゴム板の隣り合う２枚は、互いに谷を形成するように上面が傾斜していることを特徴とする請求項１記載のコイル秤量装置。
【請求項３】
前記ゴム板の隣り合う３枚において、中央に位置するゴム板の上面は山形とされ、両側に位置するゴム板は、前記中央のものに対し互いに谷を形成するように上面が傾斜していることを特徴とする請求項１記載のコイル秤量装置。
【請求項４】
前記受け台は、周壁の下部内側に排出溝を持ち、かつ、該溝に連通した排出口を持ち、前記枠体は、前記排出溝を避けて、前記受け台の上面に載置されたことを特徴とする請求項１または２または３記載のコイル秤量装置。
【発明の詳細な説明】
【０００１】
【発明の属する技術分野】
本発明は、コイル秤量装置に関する。
【０００２】
【従来の技術】
本出願人に係る従来技術（特開平１０−２３９１４４号公報）は、コイル受け台の上面を平らにし、その上面に適度なゴム硬度を持つゴムシートを貼付けることにより、秤量機の故障の低減を達成した。
【０００３】
【発明が解決しようとする課題】
しかしながら、長年使用するとゴムの劣化による塑性変形で中央部に窪みが生じ、その窪みに塗油コイルからの油滴が溜まる。油が溜まった状態で無塗油コイルを積載すると、無塗油コイルに油が著しく付着するため、そのままでは積載できず、無塗油コイル積載前にゴムシートの清掃作業等が必要であった。
本発明は上記課題を解決し、コイルから滴下して溜まった油を効率よく排出できるコイル秤量装置を提供することを目的とする。
【０００４】
【課題を解決するための手段】
上記課題を解決するため、本発明の構成は次のとおりとする。即ち、第１構成は、秤量機の載荷本体に載置された周壁を持つ受け台と、前記周壁に対し間隔を存して前記受け台の上面に載置され、下面を切り欠いて形成された油抜きを持つ枠体と、該枠体の内側で前記受け台の上面に配置された複数枚のゴム板と、前記枠体と前記ゴム板との間および前記隣り合うゴム板の間に、互いに隙間を存して配置された複数の仕切りとを含み、該仕切りの高さは前記ゴム板および枠体よりも低くなっていることである。
【０００５】
第２構成は、第１構成に加え、前記ゴム板の隣り合う２枚は、互いに谷を形成するように上面が傾斜していることである。
【０００６】
第３構成は、第１構成に加え、前記ゴム板の隣り合う３枚において、中央に位置するゴム板の上面は山形とされ、両側に位置するゴム板は、前記中央のものに対し互いに谷を形成するように上面が傾斜していることである。
【０００７】
第４構成は、第１または第２または第３構成に加え、前記受け台は、周壁の下部内側に排出溝を持ち、かつ、該溝に連通した排出口を持ち、前記枠体は、前記排出溝を避けて、前記受け台の上面に載置されたことである。
【０００８】
【発明の実施の形態】
以下に、本発明の実施態様を図面に示す一実施例にもとづき説明する。図１ないし図３において、秤量機１のロードセル１ａで四隅において支えられた載荷本体１ｂの載荷上面に、受け台２が載置される。この受け台２において、矩形基板２ａに周壁２ｂが設けられ、周壁２ｂの下部内側には基板２ａに排出溝２ｃが形成され、これに連通して排出口２ｄが周壁２ｂに設けられる。
【０００９】
前記周壁２ｂに対し、排出溝２ｃを避けるように間隔を存して、枠体３が受け台２の上面に載置され、下面を切り欠いて形成された油抜き３ａを持つ。該枠体３の内側で前記受け台２の上面に複数枚のゴム板４ａ,４ｂが配置され、前記枠体３と前記ゴム板４ａ,４ｂとの間、および前記隣り合うゴム板４ａ,４ｂの間に、複数の仕切り５が互いに僅かな隙間を存して配置される。仕切り５の高さはゴム板４ａ,４ｂおよび枠体３よりも低くなっている。
【００１０】
前記ゴム板の隣り合う３枚において、中央に位置するものの上面は山形とされた山形ゴム板４ａであり、両側に位置するゴム板は、前記中央のものに対し互いに谷を形成するように上面が傾斜した平形ゴム板４ｂである。
【００１１】
そして、平形ゴム板４ｂの下に棒材４ｃなどが敷かれ、ゴム板の上面に傾斜が作られる。ゴム板に滴下した油が効率的に仕切り５によって作られる油の通り道に流れる。
【００１２】
従って、上記において例えば、山形ゴム板４ａの右側を塗油コイルＡが載る積載範囲Ｌａ、左側を無塗油コイルＢが載る積載範囲Ｌｂとする。塗油コイル積載範囲Ｌａ内におかれた塗油コイルＡは、ゴム板４ｂの傾斜により山形ゴム板４ａの方向に緩やかに移動し、ロードセル１ａ,１ａの間の中央付近Ｌに停止する。無塗油コイル積載範囲Ｌｂ内に置かれた無塗油コイルＢも同様である。
【００１３】
一般的にロードセル型秤量機は、ロードセル間の中央に積載した際に最も精度よく秤量できるよう調整されているので、本発明では前記のようにどの位置に積載したコイルも中央付近Ｌにくることにより、精度のよい秤量ができる。
【００１４】
塗油コイルＡより滴下した油は、山形ゴム板４ａ、または平形ゴム板４ｂの傾斜上面を伝い、仕切り５で広げられたゴム４板同士の隙間、およびゴム板と枠体３の隙間にたどり着く。そして、油はこの隙間の通り道を流れ、油抜き３ａから排出溝２ｃに流れ込み、更に排出口２ｄから受け台２の外部に排出される。また、仕切り５の端部が隣り合う仕切り５の端部や枠体３と接しないように配置されているので、油が排出されやすい。
【００１５】
なおここで、以下の理由により、仕切り５の厚さは５ｍｍ程度以上が望ましい。即ち、ゴム板同士またはゴム板と枠体３の隙間の油は一度で全て排出されず、秤量毎にこれらの隙間、またはゴム板と受け台上面の間に残った状態となっている。ゴム板上にコイルを積載した際、ゴム板は垂直方向に圧縮され、水平方向に伸長される。そのため仕切り５がなかったり、その厚さが小さかったりすると、水平方向に伸長されたゴム４同士が圧接することになり、油の通り道に充分な隙間が確保されず、前回の秤量までに残った油が再びゴム板上に上がってくるためである。
【００１６】
また、同様に無塗油コイル積載範囲Ｌｂ側にも仕切り５による隙間が必要である。これがないと、塗油コイルＡから滴下したが排出溝２ｃに至らなかった油が、無塗油コイル積載範囲Ｌｂ側のゴム板の隙間から上がってくるためである。仕切り５の厚みが５ｍｍ程度以上あれば、コイルを積載しても適切な隙間が確保され、油が上がってくることもない。
【００１７】
図５は他の実施例を示し、前記山形ゴム板の代わりに、互いに山を形成するように傾斜面を持つ２枚の平形ゴム板を隣接配置したものである。
【００１８】
本発明は前記した実施例や実施態様に限定されず、特許請求の精神および範囲を逸脱せずに種々の変形を含む。
【００１９】
【発明の効果】
本発明の第１，第２構成により、仕切りによる隙間を設けることにより、コイルが載るゴム板上の油がゴム板から流下して、枠体と受け台周壁との間に溜まる。従って、従来のものよりゴム板表面を清潔に保つことができる。このため、コイルの用途によっては、塗油コイル積載範囲と無塗油コイル積載範囲を分けなくても充分な効果を発揮できる。
本発明の第３構成により、ゴム板の表面を清掃することなく、塗油コイル、無塗油コイルの両方を積載できることとなった。
本発明の第４構成により、油が排出溝，排出口を通じて外部へ効果的に排出される。
【図面の簡単な説明】
【図１】  本発明の一実施例の平面図である。
【図２】  本発明の一実施例の正面図である。
【図３】  図１のＸ―Ｘ断面図である。
【図４】  本発明の使用状態説明図である。
【図５】  本発明の他の実施例の正面図である。
【符号の説明】
Ａ  塗油コイル
Ｂ  無塗油コイル
Ｌａ  塗油コイル積載範囲
Ｌｂ  無塗油コイル積載範囲
１  秤量機
１ａ  ロードセル
１ｂ  載荷本体
２  受け台
２ａ  基板
２ｂ  周壁
２ｃ  排出溝
２ｄ  排出口
３  枠体
３ａ  油抜き
４ａ  山形ゴム板
４ｂ  平形ゴム板
４ｃ  棒材
５  仕切り
【図１】
0003793712.tif 000002
【図２】
0003793712.tif 000003
【図３】
0003793712.tif 000004
【図４】
0003793712.tif 000005
【図５】
0003793712.tif 000006